(57)【要約】【課題】住宅等の建築物の基礎上部における断熱性及び気密性を確保し、かつ、施工が容易な断熱気密部材を提供する。【解決手段】本断熱気密部材１００は、基礎の上面から床の縁部に渡って気密面を構成する気密部材１１と、該気密部材１１と軸組との間の断熱を確保する断熱部材１２と、気密部材の連結部分を密封するための気密テープ１３とを具備するものである。気密部材１１は薄板状の合成樹脂であって、水平方向の基部１１ａから下端部１１ｂが下方へ略直角に曲折されて垂下し、他方、起立部１１ｃが上方へ略直角に曲折されて立ち上がり、さらに上端部１１ｄが起立部１１ｃから気密部材１１の内面側、即ち水平方向手前側へ略直角に曲折された形状のものである。断熱部材１２は、気密部材１１の起立部１１ｃの背面に固定されている。気密テープ１３は、気密部材１１の一端の内面に貼り付けられている。【選択図】　　　図１
2004076348.tif 000002
【特許請求の範囲】
【請求項１】
建物の基礎の上部において断熱気密面を構築するための断熱気密部材であって、
気密面を構成する気密部材が、基礎上部の内縁部を覆い、且つ、軸組に沿って起立して床の縁部を覆う形状に形成され、該気密部材が起立した部分の背面に、断熱面を構成する断熱部材が固定され、前記気密部材の連結端に、気密部材の連結部分を密封するためのシール部材が貼設されたものであることを特徴とする断熱気密部材。
【請求項２】
前記気密部材は薄板状の部材が曲折されてなるものであって、基礎の上面を覆う基部の一端から、基礎の内側面を覆う下端部が下方へ略直角に曲折されるとともに、該基部の他端から、軸組に沿って起立する起立部が上方へ略直角に曲折され、該起立部の上端から、床の縁部を覆う上端部が内面側へ略直角に曲折された形状のものであることを特徴とする請求項１に記載の断熱気密部材。
【請求項３】
前記気密部材及び断熱部材は、基礎の出隅部又は入隅部の形状に合致するように曲折されたものであることを特徴とする請求項１又は２に記載の断熱気密部材。
【発明の詳細な説明】
【０００１】
【発明の属する技術分野】
本発明は、住宅等の建築物の基礎上部において断熱気密面を構築するために用いられる断熱気密部材に関するものである。
【０００２】
【従来の技術】
近年、住宅には、計画的な換気による住宅の快適性の向上や、冷暖房の効率を高めて省エネルギー化を図るために、断熱性及び気密性が求められるようになってきている。住宅等の建物の断熱気密構造には、従来より種々のものがあるが、これらは主に、建物の内部空間全体を囲むように断熱及び気密を行うものである。
【０００３】
図１１は、従来の断熱気密構造を示したものであるが、図に示すように、建物９１の屋内の壁、天井、及び床の内部に気密面及び断熱面を設け、各気密面及び断熱面を連続させることにより断熱気密ライン９２を構築して、建物の内部空間の断熱性及び気密性を確保するものである。この場合、床下については、通常は換気等が図られているため、断熱性や気密性については何ら考慮されていない。
【０００４】
しかし、省エネルギーや環境問題への配慮が高まるとともに、更なる冷暖房効率の向上等を図るために、住宅の断熱性及び気密性も高いレベルが要求されている。例えば寒冷地においては、図に示すように、基礎９３の外周にも断熱材を配設することにより、基礎９３の外側に断熱ライン９４を形成し、基礎９３のコンクリートがヒートブリッジとなることを抑制して、床下の断熱性の向上が図られている。このように、基礎９３に断熱ライン９４を確保する場合には、気密ラインも断熱ラインと同じ箇所に設けることが断熱及び気密の確実性や施工効率の観点から好ましい。また、寒冷地仕様の住宅でなくとも、床下収納や地下室が設けられた箇所、玄関の土間、浴室の床のように、通常の床より低い位置にある箇所では、床下空間との接触面積の大きくなるので、床下空間の冷気等の影響を受けやすい。従って、基礎９３の上部においても、気密性及び断熱性を確保することが望まれている。
【０００５】
例えば、住宅の気密性を確保する方法として、湿式気密工法と乾式気密工法とがある。湿式気密工法は、住宅の構造部位にウレタン等の樹脂を吹き付けて部材間の隙間等を樹脂層で密封することにより気密性を確保するものであるが、ウレタン等の樹脂を吹き付ける際に有毒ガスの疑いがある塩素系ガスが発生する。従って、作業者の安全を確保するために、気密施工と内装工事等を同時に行うことはできず、また、ウレタン樹脂等を吹きつけた後、所定期間養生することも必要であり、作業効率が悪いという問題がある。また、ウレタン樹脂等の吹付け作業を行うには、熟練した専門作業者を必要とするので、作業コストが増えるという問題もある。
【０００６】
一方、乾式気密工法は、例えば、ポリエチレンフィルム等の樹脂シートを、住宅の構造部位の形状に沿って折り曲げて密着させ、該樹脂シートの端部にアルミテープ等を貼り付けて密封するものである。このような乾式気密工法では、前述したようなウレタン樹脂等の吹付けを行わないので、作業者の安全確保や養生期間を要するという問題を解決することができる。
【０００７】
【発明が解決しようとする課題】
しかし、複数の部材が組み合わされた継目部分や隅部等、複雑な構造部位においては、前記樹脂シートに切込み等を設け、該構造に沿って複雑な形状に折り曲げて、樹脂シートの端部や切込み部分をアルミテープ等で密封することとなり、その施工は容易でない。また、樹脂シートの折り曲げ部分や切込み部分にアルミテープを貼り付けた際に隙間が生じやすく、気密性を十分に確保できないという問題もある。
【０００８】
本発明は、これらの点に鑑みてなされたものであり、住宅等の建築物の基礎上部における断熱性及び気密性を確保し、かつ、施工が容易な断熱気密部材を提供することを目的とする。
【０００９】
【課題を解決するための手段】
本発明に係る断熱気密部材は、建物の基礎の上部において断熱気密面を構築するための断熱気密部材であって、気密面を構成する気密部材が、基礎上部の内縁部を覆い、且つ、軸組に沿って起立して床の縁部を覆う形状に形成され、該気密部材が起立した部分の背面に、断熱面を構成する断熱部材が固定され、前記気密部材の連結端に、気密部材の連結部分を密封するためのシール部材が貼設されたものである。
【００１０】
また、前記気密部材は薄板状の部材が曲折されてなるものであって、基礎の上面を覆う基部の一端から、基礎の内側面を覆う下端部が下方へ略直角に曲折されるとともに、該基部の他端から、軸組に沿って起立する起立部が上方へ略直角に曲折され、該起立部の上端から、床の縁部を覆う上端部が内面側へ略直角に曲折された形状のものが好ましい。
【００１１】
本断熱気密部材は、予め、気密部材が基礎上部から床縁部に沿った形状に加工されたものであり、該気密部材に、基礎上部に連続的に配設される断熱気密部材の連結部分を密封すべきシール部材と、軸組との間に介設すべき断熱部材とが一体となったものであるので、施工現場において気密部材を折り曲げ加工したり、シール部材を切断して貼着する必要がなく、基礎上部から軸組、床への断熱気密ラインを容易且つ確実に形成することができる。
【００１２】
また、本発明は、前記気密部材及び断熱部材は、基礎の出隅部又は入隅部の形状に合致するように曲折されたものである。これにより、基礎の出隅部又は入隅部における断熱気密ラインも容易且つ確実に形成することができる。
【００１３】
【発明の実施の形態】
以下、本発明の実施の形態を図面に基づき具体的に説明する。
図１は、本発明の実施の形態に係る断熱気密部材の外観構成を示す斜視図であり、本断熱気密部材１００は、図に示すように、基礎の上面から床の縁部に渡って気密面を構成する気密部材１１と、該気密部材１１と軸組との間の断熱を確保する断熱部材１２と、気密部材の連結部分を密封するための気密テープ（シール部材）１３とを具備するものである。
【００１４】
前記気密部材１１は薄板状の合成樹脂であって、図に示すように、水平方向の基部１１ａから下端部１１ｂが下方へ略直角に曲折されて垂下し、他方、起立部１１ｃが上方へ略直角に曲折されて立ち上がり、さらに上端部１１ｄが起立部１１ｃから気密部材１１の内面側、即ち水平方向手前側へ略直角に曲折された形状のものである。このように形成された断熱気密部材１０が基礎の上部に配置されることにより、基部１１ａ及び下端部１１ｄが基礎の内縁部、即ち基礎の上面及び内側面の一部を覆い、起立部１１ｃ及び上端部１１ｄが床の縁部を覆うものとなる。また、気密部材１１を断熱気密ラインを形成すべき構造部位、即ち基礎の上部から床の縁部に合致するように予め曲折等されているので、現場で断熱気密部材１００を折り曲げ等する必要がなくなり、施工作業が容易となるとともに、施工ミス等による隙間が生じ難くなり、所望の気密性が確保される。なお、気密部材１１を構成する合成樹脂は、例えばポリエチレン等の気密性能及び防水性能に優れたものが好適である。
【００１５】
前記断熱部材１２は、前記気密部材１１と略同長さの柱状の発泡合成樹脂であり、図に示すように、前記気密部材１１の起立部１１ｃの背面に、その両側端面が気密部材１１の両側端面と夫々面一となるように固定されている。断熱部材１２を構成する発泡合成樹脂は、例えば発泡ポリスチレン等の断熱性能に優れ、且つ成形加工性にも優れたものが好適である。気密部材１１と断熱部材１２との固定は周知の方法が採用でき、例えばエポキシ樹脂系等の接着剤を用いて貼着しても、断熱部材１２の発泡成形時に気密部材１１と熱圧着してもよい。
【００１６】
前記気密テープ１３は、所謂粘着テープであって、例えばポリエチレンフィルムやポリエチレン−アルミニウムのラミネートフィルム等の気密性能及び防水性能に優れたものが好適である。該気密テープ１３の裏面には接着剤が塗布されて離形紙が貼着されており、該気密テープ１３の略半分程度は離形紙が剥がされて、前記気密部材１１の一端の内面に、気密部材１１の形状に沿って貼り付けられており、残りの半分程度は離形紙が付いたまま、気密部材１１から側方に突出した状態となっている。従って、断熱気密部材１０を連結する際には、気密テープ１３の離形紙を剥がして、側方に突出した部分の気密テープ１３を連結すべき断熱気密部材１０の気密部材１１の内面に貼着すればよい。
【００１７】
このように、本断熱気密部材１００は、基礎、軸組、及び床の形状に合せて成形された気密部材１１と、該気密部材１１と軸組との間に介設される断熱部材１２とが予め一体として固定されているので、本断熱気密部材１００の施工が簡便となり、また、気密部材１１の一端には気密テープ１３が予め貼着されているので、断熱気密部材１００を基礎の上部に連設していく際に、断熱気密部材１００同士を密着させて連結することが容易となり、該連結部の気密性も確保される。
【００１８】
以下、別形態の断熱気密部材２００について説明する。図２は、前記断熱気密部材２００の硬性を示す斜視図であるが、図に示すように、本断熱気密部材２００は、基礎の出隅部の形状に合致するように、図手前側へ略直角に曲折された形状の気密部材２１と、該気密部材２１と同様に略直角に曲折された形状の断熱部材２２と、気密部材の連結部分を密封するための気密テープ１３とを具備するものである。
【００１９】
前記気密部材２１は、前記断熱気密部材１００を構成する気密部材１１と同様に、基礎の内縁部及び床の縁部を覆うように基部２１ａ、下端部２１ｂ、起立部２１ｃ、及び上端部２１ｄが形成されており、該基部２１ａ、下端部２１ｂ、起立部２１ｃ、及び上端部２１ｄが夫々手前側に略直角に曲折された形状のものである。前記断熱部材２２は、該起立部２１ｃの背面に、その両側端面と気密部材２１の両側端面とが夫々面一となるように固定されている。このように形成された断熱気密部材２００を基礎の出隅部に配置することにより、断熱気密部材１００、２００の連結部分が直線状となり、該連結部分に隙間が生じ難くなる。
【００２０】
さらに詳細に説明するに、基礎の出隅部に前記断熱気密部材１００を配設するとすれば、図３に示すように、２つの断熱気密部材１００が出隅部において重なり合う部分を現場において適宜切断除去し、図４に示すように、該断熱気密部材１００を夫々出隅部Ａに配設して、その連結部分を気密テープ１３等で密封することとなる。しかし、図に示すように、断熱気密部材１００の連結部分は互いに組み合わさった複雑な形状となっているので、気密テープ１３等も複雑な形状に折り曲げながら該連結部分に貼り付ける必要があり、作業が煩雑となる上、連結部分に隙間が生じ易いという問題がある。本断熱気密部材２００は、気密部材２１及び断熱部材２２が基礎の出隅部の形状に合致するように予め成形されているので、前述したような切断作業や複雑な気密テープ１３の貼り付けは不要であり、出隅部に配設された断熱気密部材２００と、その両端に連結される断熱気密部材１００との連結部分は直線状となる。従って、気密テープ１３による連結部分の密封作業が容易であり、隙間も生じ難くなる。
なお、前記気密部材２１及び断熱部材２２の素材やその他の構成は前記気密部材１１及び断熱部材１２と同様であるので、詳細な説明は省略する。
【００２１】
以下、さらに別形態の断熱気密部材３００について説明する。図５は、該断熱気密部材３００の構成を示す斜視図であるが、図に示すように、本断熱気密部材３００は、基礎の入隅部の形状に合致するように、図向こう側へ略直角に曲折された形状の気密部材３１と、該気密部材３１の起立部３１ｃの背面に固定された断熱部材３２と、気密部材の連結部分を密封するための気密テープ１３とを具備するものである。
【００２２】
前記気密部材３１も、前記断熱気密部材１００を構成する気密部材１１と同様に、基礎の内縁部及び床の縁部を覆うように基部３１ａ、下端部３１ｂ、起立部３１ｃ、及び上端部３１ｄが形成されており、該基部３１ａ、下端部３１ｂ、起立部３１ｃ、及び上端部３１ｄが夫々向こう側に略直角に曲折された形状のものである。一方、前記断熱部材３２は、略直角に曲折された起立部３１ｂの背面に、その両側端面と気密部材３１Ｂの両側端面とが夫々面一となるように固定されている。このように形成された断熱気密部材３００を基礎の入隅部に配置することにより、前述と同様に、断熱気密部材１００、３００の連結部分が直線状となり、該連結部分に隙間が生じ難くなる。
なお、前記気密部材３１及び断熱部材３２の素材やその他の構成は前記気密部材１１及び断熱部材１２と同様であるので、詳細な説明は省略する。
【００２３】
以下、前記各断熱気密部材１００、２００、３００の使用方法について説明する。
各断熱気密部材１００、２００、３００は、基礎１の所定箇所から一定方向へ順次連結するように配設する。基礎１のいずれの位置から配設するか、右方向又は左方向に連結するかは任意であるが、本実施の形態では、基礎１の出隅部から右方向へ各断熱気密部材１００、２００、３００を連結する場合について説明する。
【００２４】
図６は、出隅部Ａ及び入隅部Ｂを有する基礎１の上部に前記各断熱気密部材１００、２００、３００を配設する方法を示すものであるが、図に示すように、最初に出隅部Ａに断熱気密部材２００を配設する。詳細には、略直角に曲折された断熱気密部材２００を出隅部Ａにあわせ、さらに、気密部材２１の基部２１ａ及び下端部２１ｂが基礎１上部の内縁部Ｉを覆うように配置する。その後、図に示すように、下端部２１ｂの一部と基礎１の内側面に防水気密テープ４０を貼り付けて断熱気密部材２００を仮止めしておく。
【００２５】
なお、各断熱気密部材１００、２００、３００を配設する前に、図に示すように、基礎１の上面と軸組２の内側面とに渡って防水スペーサ４１を貼り付け、基礎１と軸組２との隙間を密封すれば、気密性及び断熱性が一層高められ、基礎１と軸組２との隙間から雨水等が滲入することが防止されるので好ましい。該防水スペーサ４１は、軟質発泡合成樹脂や耐老化性ゴム等が好適であり、密封は接着剤等により直接貼りつけても、その上端及び下端等に前記防水気密テープ４０を貼り付けることとしてもよい。防水スペーサ４１の継目は防水気密テープ４０で密封し、出隅部Ａや入隅部Ｂ等においては、防水スペーサ４１に適宜切り込みを設けて貼り付けた後、該切り込み部分も防水気密テープ４０で密封する。また、防水スペーサ４１を貼り付ける際には、基礎１の上面等は十分に清掃して埃等を除去しておくことが好ましい。
【００２６】
前記断熱気密部材２００を出隅部Ａに仮止めした後、該断熱気密部材２００から右方向へ、断熱気密部材１００、３００を連結させながら配置する。詳細には、断熱気密部材１００の気密テープ１３の離形紙を剥がし、断熱気密部材１００、２００の側端部同士を隙間なく密接させて、前記断熱気密部材２００と同様に、気密部材１１の基部１１ａ及び下端部１１ｂが基礎１の内縁部Ｉを覆うように配置する。その後、気密テープ１３により断熱気密部材１００、２００の連結部分を密封する。なお、前述したように、各断熱気密部材１００、２００、３００を順次連結させていく方向は、右方向又は左方向のいづれでもよいが、図に示すように、断熱気密部材１００の左側に気密テープ１３が貼設されている場合には、右方向へ連結させていくこととすれば、該気密テープ１３を既に配設された断熱気密部材２００等に手前側から貼り付けることとなり作業性がよい。
【００２７】
前記断熱気密部材１００を配設した後、基礎１の入隅部Ｂに、断熱気密部材３００を、前記断熱気密部材１００の側端面に密接させて配置する。該断熱気密部材３００も、前述と同様に、気密部材３１の基部３１ａ及び下端部３１ｂが基礎１の内縁部Ｉを覆うように配置し、気密テープ１３により断熱気密部材１００、３００の連結部分を密封する。なお、前記断熱気密部材１００が入隅部Ｂの位置より長い場合には、不要な長さ部分を切断する。
【００２８】
このように、基礎１の直線部分には断熱気密部材１００を、出隅部Ａには断熱気密部材２００を、入隅部Ｂには断熱気密部材３００を、各側端面を密接させながら基礎１に沿って連続的に配置していく。
なお、各断熱気密部材１００、２００、３００の長さは任意であるが、成形加工の容易性や施工の便宜を考慮すれば、断熱気密部材１００の長手方向の長さは約１０００ｍｍ程度、断熱気密部材２００の略直角に曲折された夫々の長さは約２５０ｍｍ程度、断熱気密部材３００の略直角に曲折された夫々の長さは約２４ｍｍ程度とすることが好適である。
【００２９】
断熱気密部材１００、２００、３００を基礎１の上部の所定の位置に夫々配置した後、図７に示すように、断熱気密部材１００、２００、３００の各下端部１１ｂ、２１ｂ、３１ｂと基礎１の内側面とを密封するように防水気密テープ４０を貼り付ける。該防水気密テープ４０は、合成樹脂とアルミニウムのラミネートフィルムに接着剤が塗布されたもの等、乾式気密工法に使用される周知のものが使用可能である。なお、防水気密テープ４０を途中で継ぐ場合には、防水気密テープ４０を十分に重ねて継目に隙間が生じないようにする。
【００３０】
その後、図８に示すように、床受け下地４２を、大引方向と直交する方向の基礎１の上部に配設する。床受け下地４２は、平板状の基台４２ａ上に角柱４２ｂが固定されてなるものであり、大引（不図示）上に横架される根太３と同様に、基礎１の上部において、その後に敷設される床４を支持する。該床受け下地４２は、基台４２ａを断熱気密部材１００、２００、３００の各気密部材１１、２１、３１の基部１１ａ、２１ａ、３１ａ上に載置するとともに、角柱４２ｂが各気密部材１１、２１、３１の起立部１１ｃ、２１ｃ、３１ｃと接触するように配置し、基台４２ａの底面に床用弾性接着剤を塗布して各気密部材１１、２１、３１と接着させ、更に、適宜コンクリート釘やコンクリート用タッピングビス等を打ち込んで基礎１に固定する。
【００３１】
床受け下地４２を配設した後、図９に示すように、根太３を横架し、床４を敷設する。床４の縁部は、大引方向と直交する方向の基礎１の上部では前記床受け下地４２（不図示）により支持され、大引方向と平行な方向の基礎１の上部では根太３により支持される。断熱気密部材１００、２００、３００の各気密部材１１、２１、３１の基部１１ａ、２１ａ、３１ａ上に、床受け下地４２又は根太３、及び床４の荷重が加わることにより、各気密部材１１、２１、３１と基礎１とが密接されて気密性が高められる。また、断熱気密部材１００、２００、３００の各気密部材１１、２１、３１の上端部１１ｄ、２１ｄ、３１ｄは、該床４の縁部を覆うようになっている。該上端部１１ｄ、２１ｄ、３１ｄ上は、その後に立設される内壁断熱枠５と床４とで挟着されて、床４の縁部が気密部材１１、２１、３１により密封される。なお、本実施の形態では、前記気密部材１１、２１、３１の上端部１１ｄ、２１ｄ、３１ｄは床４と内壁枠５とで挟着されたものとしたが、例えば床下地材とフローリング材等の床材間や、他の部材間に挟着されるものとしてもよい。
【００３２】
図１０は、基礎１の上部における断熱気密構造の断面を示すものであるが、図に示すように、床４が敷設された後、床４の縁部には断熱性及び気密性を有する内壁枠５が立設され、該内壁枠５の表面に内壁ボード６が配設される。一方、屋外側には外壁ボード６が配設されて、前記内壁枠５、内壁ボード６、及び外壁ボード６により建物の壁が構築される。また、基礎１の外周面には、発泡合成樹脂からなる基礎断熱部材８が配設されて基礎１の断熱が施される。このような基礎１の上部の構造において、本断熱気密部材１００により、気密部材１１が基礎１の内縁部及び床４の縁部を覆い、且つ該気密部材１１と軸組２との間に断熱部材１２が介設されるので、基礎１の上部から軸組２、床４へと断熱気密ラインが形成される。また、周知のように、内壁断熱枠５の表面には気密防湿シートが貼設され、その内部及び裏面にはグラスウール等の断熱材が配設されて、断熱気密ラインが形成されており、本断熱気密部材１００、２００、３００により形成された基礎１上部の断熱気密ラインが、内壁枠５の表面に形成された断熱気密ラインと連続し、建物全体の断熱気密ラインの一部をなすものとなる。なお、本実施の形態で示した建築物の構造は一例であり、本発明に係る断熱気密部材は、勿論、図示の構造以外の建築物にも使用可能である。
【００３３】
【発明の効果】
このように、本発明に係る断熱気密部材によれば、気密面を構成する気密部材が、基礎上部の内縁部を覆い、且つ、軸組に沿って起立して床の縁部を覆う形状に形成され、該気密部材が起立した部分の背面に、断熱面を構成する断熱部材が固定され、前記気密部材の連結端に、気密部材の連結部分を密封するためのシール部材が貼設されたものとしたので、住宅等の建築物の基礎上部から床に渡る断熱気密ラインの施工を容易に行うことができる。
【００３４】
また、前記気密部材及び断熱部材は、基礎の出隅部又は入隅部の形状に合致するように曲折されたものとしたので、出隅部や入隅部において、断熱気密部材を切断加工して継ぐ必要がなく、連続的に配設される断熱気密部材の連結部分を直線状にすることができる。これにより、連結部分の密封が容易となり、該連結部分に隙間が生じることを防止できる。
【図面の簡単な説明】
【符号の説明】
【図１】本発明の実施の形態に係る断熱気密部材１００の構成を示す斜視図である。
【図２】別形態の断熱気密部材２００の構成を示す斜視図である。
【図３】断熱気密部材１００同士を出隅部に配設する例を示す概略斜視図である。
【図４】断熱気密部材１００同士を出隅部に配設する例を示す概略斜視図である。
【図５】別形態の断熱気密部材３００の構成を示す斜視図である。
【図６】断熱気密部材１００、２００、３００の使用方法を説明するための概略斜視図である。
【図７】断熱気密部材１００、２００、３００の使用方法を説明するための概略斜視図である。
【図８】断熱気密部材１００、２００、３００の使用方法を説明するための概略斜視図である。
【図９】断熱気密部材１００、２００、３００の使用方法を説明するための概略斜視図である。
【図１０】図９のＩＩ−ＩＩ断面を示す拡大断面図である。
【図１１】従来の気密構造を説明するための模式図である。
【符号の説明】
１００、２００、３００　断熱気密部材
１１、２１、３１　気密部材
１１ａ、２１ａ、３１ａ　基部
１１ｂ、２１ｂ、３１ｂ　下端部
１１ｃ、２１ｃ、３１ｃ　起立部
１１ｄ、２１ｄ、３１ｄ　上端部
１２、２２、３２　断熱部材
１３　気密テープ（シール部材）
【図１】
2004076348.tif 000003
【図２】
2004076348.tif 000004
【図３】
2004076348.tif 000005
【図４】
2004076348.tif 000006
【図５】
2004076348.tif 000007
【図６】
2004076348.tif 000008
【図７】
2004076348.tif 000009
【図８】
2004076348.tif 000010
【図９】
2004076348.tif 000011
【図１０】
2004076348.tif 000012
【図１１】
2004076348.tif 000013